Podtech/llm-jp-corpus-v4-ja_patent huggingface dataset:
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
上流側ノズル群と、
前記上流側ノズル群よりも搬送方向の下流側に位置する下流側ノズル群と、
媒体を前記上流側ノズル群と前記下流側ノズル群に対して前記搬送方向に搬送する搬送機構と、
を備え、
前記上流側ノズル群と前記下流側ノズル群は、それぞれ複数のノズル列が前記搬送方向に並んで構成され、
前記ノズル列は、液体を吐出する複数のノズルが前記搬送方向と交差する方向に並んで構成される、
液体吐出装置であって、
前記媒体の前記搬送方向の長さによって、搬送速度が異なる、
ことを特徴とする液体吐出装置。
【請求項２】
請求項１に記載の液体吐出装置であって、
第１サイズの媒体の搬送方向の長さが第２サイズの媒体の搬送方向の長さよりも長い場合、
前記第１サイズの媒体の搬送速度は、前記第２サイズの媒体の搬送速度よりも遅い、
液体吐出装置。
【請求項３】
請求項２に記載の液体吐出装置であって、
前記第１サイズの媒体が、前記上流側ノズル群と前記下流側ノズル群の両方と対向している場合、
前記上流側ノズル群と前記下流側ノズル群から交互に液体が吐出される、
液体吐出装置。
【請求項４】
請求項３に記載の液体吐出装置であって、
前記上流側ノズル群の前記ノズル列と前記下流側ノズル群の前記ノズル列との間隔は、
画素の前記搬送方向の長さの整数倍に、前記長さの半分の長さを加えた長さと等しい、
液体吐出装置。
【請求項５】
請求項２からは請求項４のいずれかに記載の液体吐出装置であって、
前記上流側ノズル群のうちの最上流側の前記ノズル列と前記下流側ノズル群のうちの最上流側の前記ノズル列との間隔は、前記第２サイズの媒体の前記搬送方向の長さよりも大きく、
前記上流側ノズル群のうちの最下流側の前記ノズル列と前記下流側ノズル群のうちの最上流側の前記ノズル列との間隔は、前記第２サイズの媒体の前記搬送方向の長さ以下である、
液体吐出装置。
【手続補正書】
【提出日】平成21年6月16日(2009.6.16)
【手続補正１】
【補正対象書類名】明細書
【補正対象項目名】特許請求の範囲
【補正方法】変更
【補正の内容】
【特許請求の範囲】
【請求項１】第一水和物または第二水和物を生成するゲスト化合物の水溶液を冷却して水和物スラリを製造する方法において、第二水和物を含む水和物スラリを貯蔵するタンクをスラリ製造熱交換器に接続し、前記タンクに貯蔵される水和物スラリの一部および前記水溶液を前記スラリ製造熱交換器へ輸送して冷却することを特徴とする水和物スラリの製造方法。
【請求項２】前記タンクは負荷側熱交換器に接続されており、前記水溶液は前記負荷側熱交換器から輸送されることを特徴とする請求項１に記載の水和物スラリの製造方法。
【請求項３】前記タンクは負荷側熱交換器に接続されており、前記タンクに貯蔵される水和物スラリの一部を前記負荷側熱交換器へ輸送して冷熱を利用することを特徴とする請求項１に記載の水和物スラリの製造方法。
【請求項４】前記タンクは負荷側熱交換器に接続されており、前記水溶液は前記負荷側熱交換器から輸送されており、前記タンクに貯蔵される水和物スラリの一部を前記負荷側熱交換器へ輸送して冷熱を利用することを特徴とする請求項１に記載の水和物スラリの製造方法。
【請求項５】前記タンクに貯蔵される水和物スラリの一部を前記負荷側熱交換器へ輸送する負荷ポンプの流量をＱｆ、前記タンクに貯蔵されている水和物スラリの一部および前記負荷側熱交換器から戻る前記水溶液を前記スラリ製造熱交換器へ輸送する製造ポンプの流量をＱｍとして、Ｑｍ＞Ｑｆとなるように制御することを特徴とする請求項４記載の水和物スラリの製造方法。
【手続補正２】
【補正対象書類名】明細書
【補正対象項目名】０００９
【補正方法】変更
【補正の内容】
【０００９】
（２）また、上記（１）に記載のものにおいて、前記タンクは負荷側熱交換器に接続されており、前記水溶液は前記負荷側熱交換器から輸送されることを特徴とするものである。
【手続補正３】
【補正対象書類名】明細書
【補正対象項目名】００１０
【補正方法】変更
【補正の内容】
【００１０】
（３）また、上記（１）に記載のものにおいて、前記タンクは負荷側熱交換器に接続されており、前記タンクに貯蔵される水和物スラリの一部を前記負荷側熱交換器へ輸送して冷熱を利用することを特徴とするものである。
【手続補正４】
【補正対象書類名】明細書
【補正対象項目名】００１１
【補正方法】変更
【補正の内容】
【００１１】
（４）また、上記（１）に記載のものにおいて、前記タンクは負荷側熱交換器に接続されており、前記水溶液は前記負荷側熱交換器から輸送されており、前記タンクに貯蔵される水和物スラリの一部を前記負荷側熱交換器へ輸送して冷熱を利用することを特徴とするものである。
（５）また、上記（４）に記載のものにおいて、前記タンクに貯蔵される水和物スラリの一部を前記負荷側熱交換器へ輸送する負荷ポンプの流量をＱｆ、前記タンクに貯蔵されている水和物スラリの一部および前記負荷側熱交換器から戻る前記水溶液を前記スラリ製造熱交換器へ輸送する製造ポンプの流量をＱｍとして、Ｑｍ＞Ｑｆとなるように制御することを特徴とするものである。
なお、本発明において、ゲスト化合物としては、テトラｎ−ブチルアンモニウム塩、テトラｉｓｏ−アミルアンモニウム塩、テトラｉｓｏ−ブチルホスホニウム塩およびトリｉｓｏ−アミルスルホニウム塩からなる群より選択される少なくとも１種が用いられる。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
記録及び／又は再生装置とともに用いるための情報記録媒体において、
第１の欠陥リストエントリは、欠陥ブロックが前記欠陥ブロックを代替するための対応する代替ブロックを有する事を示す状態情報、前記欠陥ブロックの位置を示す第１情報及び前記代替ブロックの位置を示す第２情報を含み、
前記第１欠陥リストエントリに対応する欠陥ブロックが拡張されたか、または新たに割り当てられたスペア領域内に存在する時、第２欠陥リストエントリは、前記情報記録媒体に記録され、且つ
前記第２欠陥リストエントリは、前記欠陥ブロックが他の欠陥ブロックを代替するためには使用できないブロックである事を示す状態情報、及び代替ブロックとしての欠陥ブロックの位置を示す第２情報を含むことを特徴とする情報記録媒体。
【請求項２】
情報記録媒体に又は、からデータを記録／再生する装置において、
前記媒体に／からデータを書込み／読み出しする書込み／読み出し部と、
第１欠陥リストエントリに対応する欠陥ブロックが拡張されたか、または新たに割り当てられたスペア領域内に存在する時、第２欠陥リストエントリを作る制御部と
を含み、
前記第１の欠陥リストエントリは、前記欠陥ブロックが前記欠陥ブロックを代替するための対応する代替ブロックを有する事を示す状態情報、前記欠陥ブロックの位置を示す第１情報及び前記代替ブロックの位置を示す第２情報を含み、
前記第２欠陥リストエントリは、前記欠陥ブロックが他の欠陥ブロックを代替するためには使用できないブロックである事を示す状態情報、及び代替ブロックとしての前記欠陥ブロックの位置を示す第２情報を含むことを特徴とする記録／再生装置。
【請求項３】
情報記録媒体に／からデータを記録／再生する方法において、
第１欠陥リストエントリに対応する欠陥ブロックが拡張されたか、または新たに割り当てられたスペア領域内に存在する時、第２欠陥リストエントリを作るステップを含み、
第１の欠陥リストエントリは、前記欠陥ブロックが前記欠陥ブロックを代替するための対応する代替ブロックを有する事を示す状態情報、前記欠陥ブロックの位置を示す第１情報及び前記代替ブロックの位置を示す第２情報を含み、且つ
前記第２欠陥リストエントリは、前記欠陥ブロックが他の欠陥ブロックを代替するためには使用できないブロックである事を示す状態情報、及び代替ブロックとしての前記欠陥ブロックの位置を示す第２情報を含むことを特徴とする記録／再生する方法。
【手続補正書】
【提出日】平成21年9月16日(2009.9.16)
【手続補正１】
【補正対象書類名】明細書
【補正対象項目名】００５８
【補正方法】変更
【補正の内容】
【００５８】
一方、発明例１〜１２の空気入りタイヤでは、突起部２１と周方向主溝２の溝壁部２４とを連結する連結部２２が設けられている（図２および図３参照）。これらの空気入りタイヤでは、周方向主溝２の溝長さ方向に対する突起部２１の連続性、突起部２１の高さｈ１、突起部２１に対する連結部２２の配置、ならびに、周方向主溝２の溝幅Ｗと連結部２２の配置間隔Ｐとの比Ｗ／Ｐに関する条件が相異する。また、突起部２１の頂部の傾斜角θが３［ｄｅｇ］≦θ≦３０［ｄｅｇ］の範囲に設定されている。また、連結部２２の頂部の傾斜角φがφ＝１０［ｄｅｇ］に設定されている。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
各種入賞部を有する遊技盤に遊技球を流下させて、これら入賞部に遊技球を入球させるように遊技を行う遊技機であって、
上記遊技盤が、複数の可変入賞装置と少なくとも１つの特別入賞口とを有するとともに、
上記各可変入賞装置の中の２以上の可変入賞装置を遊技球の入球の容易な開状態とするように動作する開放リンク機構と、
上記特別入賞口に入球した遊技球を流下させる球通路と、
上記開放リンク機構と連結して設けられ、上記球通路にて遊技球と当接し該遊技球により初期位置から所定位置に回動されて、上記開放リンク機構を動作させるリンク作動部材と、
上記リンク作動部材を常時上記初期位置に向けて回動させるように付勢するリンク作動部材付勢手段と、
上記リンク作動部材が上記初期位置にあるときに該リンク作動部材と係合して上記開放リンク機構を動作不可能とする係合位置と、その係合が解除されて上記開放リンク機構を動作可能とする係合解除位置との間で揺動自在に設けられ、且つ上記球通路における上記リンク作動部材と遊技球との当接位置よりも上流側で遊技球と当接し該遊技球により上記係合位置から上記係合解除位置に回動される規制部材と、
上記規制部材を常時上記係合位置に向けて回動させるように付勢する規制部材付勢手段と、を備え、
上記リンク作動部材付勢手段が、遊技球により上記規制部材との係合が解除されて上記所定位置まで回動されたリンク作動部材を、上記規制部材付勢手段の付勢力に打ち勝って上記初期位置まで回動させて上記リンク作動部材を上記規制部材と係合するように構成されている、
ことを特徴とする遊技機。
【請求項２】
上記遊技盤が一側端部を中心に回動可能な扉体に支持されるとともに、上記球通路が、特別入賞口から下方に向かう通路部分と、この通路部分から、遊技盤の回動支持とは反対側の略横方向に向かう通路部分を経て、遊技盤の回動支持とは反対側に向けて凸に湾曲されている部分とを含み、該凸に湾曲されている部分の少なくとも湾曲の外側壁の側に位置するように上記規制部材が配設されている、ことを特徴とする請求項１に記載の遊技機。
【請求項３】
上記球通路が、上記リンク作動部材と遊技球との当接位置において、上記リンク作動部材の回動半径に対応する曲率で湾曲し、該リンク作動部材が遊技球を受け止めた状態で所定の回動角度の範囲を回動するように構成してある、ことを特徴とする請求項１又は２に記載の遊技機。
【請求項４】
上記規制部材は、上記リンク作動部材が上記リンク作動部材付勢手段の付勢力により上記所定位置から上記初期位置に回動するときに摺接する摺接曲面を有し、該摺接曲面に摺接する上記リンク作動部材により上記規制部材を上記係合解除位置側に押し戻して、上記規制部材を上記リンク作動部材と係合させる、ことを特徴とする請求項１乃至３に記載の遊技機。
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
各種入賞部を有する遊技盤に遊技球を流下させて、これら入賞部に遊技球を入球させるように遊技を行う遊技機であって、
上記遊技盤が、複数の可変入賞装置と少なくとも１つの特別入賞部とを有するとともに、
上記少なくとも１つの特別入賞部に入球した遊技球を流下させる球通路と、
上記各可変入賞装置の中の２以上の可変入賞装置を遊技球の入球が容易な開状態とするように動作する連動機構とを具備し、
上記連動機構が、少なくとも、
遊技盤の裏面と略平行且つ略水平の軸心を中心に回動可能に配設された軸部と、
上記軸部の外周面から上記球通路内へ向けて突出して設けられ、上記球通路にて遊技球と当接して変位することにより上記軸部を回動させ、上記可変入賞装置を開状態に変化させる球当接部とを含むことを特徴とする遊技機。
【請求項２】
前記連動機構は、更に、前記球接当部に対する遊技球の接当により軸部の回動を許し、遊技球の通過によって前記軸部を原位置に復帰させる錘を前記球接当部に備えている、ことを特徴とする請求項１に記載の遊技機。
【請求項３】
前記軸部の横断面がＵ字状に形成されている、ことを特徴とする請求項１又は２に記載の遊技機。
【請求項４】
前記軸部を裏面側から覆うカバー体を備えている、ことを特徴とする請求項３に記載の遊技機。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
遊技領域を有する遊技盤と、
前記遊技領域に設けられ、当該遊技領域を流下する遊技球を受け入れ可能な受入口と、
前記遊技領域に設けられ、遊技球の受け入れが不可能な閉鎖態様と遊技球の受け入れが可能な開放態様との間で変位可能な開閉装置と、
少なくとも一以上の特別領域および一以上の通常領域が周縁に設けられると共に、周方向への回転動作を行う回転式役物と、
前記開閉装置から受け入れられた遊技球を前記回転式役物に供給可能な案内装置と、
前記受入口への遊技球の通過または受け入れを検出する受入口検出手段、
前記受入口検出手段により前記受入口への遊技球の通過または受け入れがあった旨が検出されたことに基づいて内部的な抽選処理を行う抽選手段、
前記抽選手段による抽選処理の結果が特定の当選であるときに、前記開閉装置を前記閉鎖態様から前記開放態様に変位させる開閉制御手段、
前記回転式役物の回転動作を制御する役物制御手段、
前記開閉装置から受け入れた遊技球が特定のタイミングで前記回転式役物に供給されるように、前記案内装置の作動を制御する案内制御手段、
前記回転式役物を用いた機械的抽選である役物抽選に当選したか否かを判断する役物抽選判断手段、および
前記役物抽選判断手段によって当選した旨が検出されたことに基づいて遊技者に有利な特別遊技を行う特別遊技実行手段、
を少なくとも有する遊技制御手段と、
を備えた遊技機であって、
前記案内装置は、前記開閉装置から受け入れられた遊技球のうち１球の遊技球のみを前記回転式役物の周縁に対向させることによって、当該１球の遊技球を当該回転式役物に供給し、
前記通常領域は、遊技球を受け入れ可能な通常選択口と、当該通常選択口に隣接し且つ前記案内装置が当該通常選択口に先だって対向する通常周壁と、から形成されると共に、
前記特別領域は、遊技球を受け入れ可能な特別選択口と、当該特別選択口に隣接し且つ前記案内装置が当該特別選択口に先だって対向する特別周壁と、から形成されて、
前記役物抽選判断手段は、前記特別選択口に遊技球が受け入れられたことに基づいて、前記役物抽選に当選したと判断するものであり、
前記特別選択口は、当該特別選択口の径方向深さが前記通常選択口の径方向深さよりも大きく形成されると共に、
前記特別領域は、前記回転式役物の周方向に沿った領域長さが、前記通常領域の領域長さよりも小さく形成されている
ことを特徴とする遊技機。
【請求項２】
前記役物抽選は、
前記案内装置と前記通常領域とが対向するときに前記１球の遊技球が前記回転式役物に供給されると、当該通常領域を形成する前記通常選択口に当該１球の遊技球が受け入れられると共に、
前記案内装置と前記特別領域とが対向するときに前記１球の遊技球が前記回転式役物に供給されると、当該特別領域を形成する前記特別選択口に当該１球の遊技球が受け入れられる
ことを特徴とする請求項１に記載の遊技機。
【請求項３】
前記回転式役物の周縁に沿った開口長さと前記通常選択口の周縁に沿った開口長さとがほぼ同じであって、
前記役物抽選では、前記特別選択口と前記通常選択口とが略同一の開口長さを有するにも拘らず、当該特別選択口の方が当該通常選択口よりも遊技球の受け入れが困難である
ことを特徴とする請求項１または請求項２に記載の遊技機。
【手続補正２】
【補正対象書類名】明細書
【補正対象項目名】０００８
【補正方法】変更
【補正の内容】
【０００８】
前記課題を解決するための本発明に係る遊技機は、遊技領域を有する遊技盤と、前記遊技領域に設けられ、当該遊技領域を流下する遊技球を受け入れ可能な受入口と、前記遊技領域に設けられ、遊技球の受け入れが不可能な閉鎖態様と遊技球の受け入れが可能な開放態様との間で変位可能な開閉装置と、少なくとも一以上の特別領域および一以上の通常領域が周縁に設けられると共に、周方向への回転動作を行う回転式役物と、前記開閉装置から受け入れられた遊技球を前記回転式役物に供給可能な案内装置と、前記受入口への遊技球の通過または受け入れを検出する受入口検出手段、前記受入口検出手段により前記受入口への遊技球の通過または受け入れがあった旨が検出されたことに基づいて内部的な抽選処理を行う抽選手段、前記抽選手段による抽選処理の結果が特定の当選であるときに、前記開閉装置を前記閉鎖態様から前記開放態様に変位させる開閉制御手段、前記回転式役物の回転動作を制御する役物制御手段、前記開閉装置から受け入れた遊技球が特定のタイミングで前記回転式役物に供給されるように、前記案内装置の作動を制御する案内制御手段、前記回転式役物を用いた機械的抽選である役物抽選に当選したか否かを判断する役物抽選判断手段、および、前記役物抽選判断手段によって当選した旨が検出されたことに基づいて遊技者に有利な特別遊技を行う特別遊技実行手段、を少なくとも有する遊技制御手段と、を備えた遊技機であって、前記案内装置は、前記開閉装置から受け入れられた遊技球のうち１球の遊技球のみを前記回転式役物の周縁に対向させることによって、当該１球の遊技球を当該回転式役物に供給し、前記通常領域は、遊技球を受け入れ可能な通常選択口と、当該通常選択口に隣接し且つ前記案内装置が当該通常選択口に先だって対向する通常周壁と、から形成されると共に、前記特別領域は、遊技球を受け入れ可能な特別選択口と、当該特別選択口に隣接し且つ前記案内装置が当該特別選択口に先だって対向する特別周壁と、から形成されて、前記役物抽選判断手段は、前記特別選択口に遊技球が受け入れられたことに基づいて、前記役物抽選に当選したと判断するものであり、前記特別選択口は、当該特別選択口の径方向深さが前記通常選択口の径方向深さよりも大きく形成されると共に、前記特別領域は、前記回転式役物の周方向に沿った領域長さが、前記通常領域の領域長さよりも小さく形成されていることを特徴とする。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
所定の演出画像が表示される演出画像表示装置と、
前記遊技領域に設けられ、遊技球を受け入れ可能な受入口と、
前記遊技領域に設けられ、遊技球の受け入れが不可能な閉鎖態様と遊技球の受け入れが可能な開放態様との間で変位可能な開閉装置と、
機械的な抽選処理を行う機械的抽選装置と、
前記開閉装置から受け入れた遊技球を前記機械的抽選装置に案内し得る案内装置と、
前記機械的な抽選処理に当選したことに応じて遊技者に有利な特別遊技を行う特別遊技実行手段を少なくとも有する遊技制御手段と、
を備え、
前記遊技制御手段は、
前記受入口への遊技球の受け入れを検出する受入口検出手段、
前記受入口検出手段による前記受入口への遊技球の受入検出に基づいて内部的な抽選処理を行う内部抽選手段、
前記受入口検出手段による前記受入口への遊技球の受入検出に基づいて行われる前記内部的な抽選処理の結果に応じて所定の演出画像が前記演出画像表示装置にて表示されるように表示制御する演出画像表示制御手段、
前記受入口検出手段による前記受入口への遊技球の受入検出に基づいて行われる前記内部的な抽選処理に当選したことに応じて、常には前記閉鎖態様に維持される前記開閉装置を前記開放態様に変位させると共に、当該開放態様から再び前記閉鎖態様に変位させる開閉制御手段、
前記受入口検出手段による前記受入口への遊技球の受入検出に基づいて行われる前記内部的な抽選処理に当選したことに応じて前記開閉装置が前記開放態様に変位したときに、当該開閉制装置から受け入れた遊技球のうち１球のみが所定のタイミングで前記機械的抽選装置に案内されるように、前記案内装置の作動を制御する案内制御手段、
前記所定のタイミングとしての前記１球の遊技球が前記機械的抽選装置に案内されるタイミングを異ならせるべく、前記受入口検出手段によって前記受入口への遊技球の受け入れが検出されてから前記１球の遊技球が前記機械的抽選装置に案内されるまでの所要時間がそれぞれ異なる複数のタイミングパターンを記憶するタイミングパターン記憶手段、および
前記タイミングパターン記憶手段に記憶される複数のタイミングパターンのなかからいずれか一のタイミングパターンに選択決定するタイミングパターン選択決定手段、
を有する遊技機であって、
前記１球の遊技球は、前記複数のタイミングパターンのうち特定のタイミングパターンに選択決定された場合にのみ、前記機械的な抽選処理にて当選となるように前記機械的抽選装置に案内され得る
ことを特徴とする遊技機。
【請求項２】
前記機械的抽選装置は、一定の時間毎の規則的な周期で作動し且つ当該周期の一周期内に少なくとも１回以上おとずれる当選タイミングとしての特定時間内に前記１球の遊技球が案内されたときに当選となるように前記機械的な抽選処理を行うと共に、
前記複数のタイミングパターンは、それぞれの前記所要時間が所定時間ずつ異なっており、
前記１球の遊技球が前記特定時間内に前記機械的抽選装置に案内され得るタイミングパターンを当選タイミングパターンとしたとき、
前記一定の時間が前記複数のタイミングパターンの数と前記所定時間とを乗じた値のほぼ整数倍に相当すると共に、前記一周期内におとずれる前記特定時間の総和が当選タイミングパターンの数と前記所定時間とを乗じた値のほぼ前記整数倍であることによって、前記受入口への遊技球の受け入れタイミングに拘らず、前記複数のタイミングパターンに対する前記当選タイミングパターンの比率と、前記一定の時間に対する前記一周期内におとずれる前記特定時間の総和の比率と、がほぼ同じになる
ことを特徴とする請求項１に記載の遊技機。
【請求項３】
前記複数のタイミングパターンは、それぞれ、前記開閉装置が前記開放態様に変位してから前記１球の遊技球が前記機械的抽選装置に案内されるまでの時間が前記所定時間ずつ異なるパターンである
ことを特徴とする請求項１または請求項２に記載の遊技機。
【手続補正２】
【補正対象書類名】明細書
【補正対象項目名】０００７
【補正方法】変更
【補正の内容】
【０００７】
前記課題を解決するための本発明に係る遊技機は、打ち込まれた遊技球が流下可能な遊技領域を有する遊技盤と、所定の演出画像が表示される演出画像表示装置と、前記遊技領域に設けられ、遊技球を受け入れ可能な受入口と、前記遊技領域に設けられ、遊技球の受け入れが不可能な閉鎖態様と遊技球の受け入れが可能な開放態様との間で変位可能な開閉装置と、機械的な抽選処理を行う機械的抽選装置と、前記開閉装置から受け入れた遊技球を前記機械的抽選装置に案内し得る案内装置と、前記機械的な抽選処理に当選したことに応じて遊技者に有利な特別遊技を行う特別遊技実行手段を少なくとも有する遊技制御手段と、を備え、前記遊技制御手段は、前記受入口への遊技球の受け入れを検出する受入口検出手段、前記受入口検出手段による前記受入口への遊技球の受入検出に基づいて内部的な抽選処理を行う内部抽選手段、前記受入口検出手段による前記受入口への遊技球の受入検出に基づいて行われる前記内部的な抽選処理の結果に応じて所定の演出画像が前記演出画像表示装置にて表示されるように表示制御する演出画像表示制御手段、前記受入口検出手段による前記受入口への遊技球の受入検出に基づいて行われる前記内部的な抽選処理に当選したことに応じて、常には前記閉鎖態様に維持される前記開閉装置を前記開放態様に変位させると共に、当該開放態様から再び前記閉鎖態様に変位させる開閉制御手段、前記受入口検出手段による前記受入口への遊技球の受入検出に基づいて行われる前記内部的な抽選処理に当選したことに応じて前記開閉装置が前記開放態様に変位したときに、当該開閉制装置から受け入れた遊技球のうち１球のみが所定のタイミングで前記機械的抽選装置に案内されるように、前記案内装置の作動を制御する案内制御手段、前記所定のタイミングとしての前記１球の遊技球が前記機械的抽選装置に案内されるタイミングを異ならせるべく、前記受入口検出手段によって前記受入口への遊技球の受け入れが検出されてから前記１球の遊技球が前記機械的抽選装置に案内されるまでの所要時間がそれぞれ異なる複数のタイミングパターンを記憶するタイミングパターン記憶手段、および、前記タイミングパターン記憶手段に記憶される複数のタイミングパターンのなかからいずれか一のタイミングパターンに選択決定するタイミングパターン選択決定手段、を有する遊技機であって、前記１球の遊技球は、前記複数のタイミングパターンのうち特定のタイミングパターンに選択決定された場合にのみ、前記機械的な抽選処理にて当選となるように前記機械的抽選装置に案内され得ることを特徴とする遊技機である。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
被検体内に導入されるカプセル本体と、
重力方向に対する前記カプセル本体の姿勢を一定に維持するように重心位置を設定する重心位置設定手段と、
重力方向に対して前記カプセル本体が一定に維持された姿勢で水平方向より上向きな斜め方向の光軸を有する撮像視野が形成されるように前記カプセル本体内に配置されて体腔内画像を撮像する撮像手段と、
を備えることを特徴とするカプセル型内視鏡。
【請求項２】
被検体内に導入される略円筒形状のカプセル本体と、
前記カプセル本体の長手軸上から偏心させた位置で、前記カプセル本体が円周方向に回転せずに重力方向に対する姿勢を一定に維持するように重心位置を設定する重心位置設定手段と、
重力方向に対して前記カプセル本体が一定に維持された姿勢で水平方向より上向きな斜め方向の光軸を有する撮像視野が形成されるように前記カプセル本体内に配置されて体腔内画像を撮像する撮像手段と、
を備えることを特徴とするカプセル型内視鏡。
【請求項３】
内蔵物を含む比重が被検体内に導入される液体に沈むように設定されたカプセル本体と、
被検体内に導入された液体に前記カプセル本体が沈んだ状態で、重力方向に対する前記カプセル本体の姿勢を一定に維持するように重心位置を設定する重心位置設定手段と、
重力方向に対して前記カプセル本体が一定に維持された姿勢で水平方向より上向きな斜め方向の光軸を有する撮像視野が形成されるように前記カプセル本体内に配置されて体腔内画像を撮像する撮像手段と、
を備えることを特徴とするカプセル型内視鏡。
【請求項４】
内蔵物を含む前記カプセル本体の比重は１以上であることを特徴とする請求項３に記載のカプセル型内視鏡。
【請求項５】
前記重心位置設定手段は、前記カプセル本体内に内蔵された一つの部材または複数部材の組合せからなることを特徴とする請求項１〜４のいずれか一つに記載のカプセル型内視鏡。
【請求項６】
前記撮像手段は、被検体の管腔臓器に導入された前記カプセル本体において管腔方向に撮像視野が形成されるように前記カプセル本体内に配置されていることを特徴とする請求項１〜５のいずれか一つに記載のカプセル型内視鏡。
【請求項７】
前記撮像手段は、前記カプセル本体内で光軸を傾けて配置させた斜視撮像光学系を有することを特徴とする請求項６に記載のカプセル型内視鏡。
【請求項８】
前記斜視撮像光学系は、光軸の斜視角度をαとし、最大画角を２ωとしたとき、
α＜２ω／２
なる条件を満たすように設定されていることを特徴とする請求項７に記載のカプセル型内視鏡。
【請求項９】
前記撮像手段は、光軸が前記カプセル本体に沿って設定された撮像光学系の撮像方向前方に撮像視野方向を傾ける反射部材を有することを特徴とする請求項６に記載のカプセル型内視鏡。
【請求項１０】
前記撮像手段は、前記反射部材による撮像視野角方向の傾きをαとし、最大画角を２ωとしたとき、
α＜２ω／２
なる条件を満たすように設定されていることを特徴とする請求項９に記載のカプセル型内視鏡。
【請求項１１】
前記撮像手段は、前記カプセル本体の長手軸の両端に撮像視野が形成されるように配置されていることを特徴とする請求項１〜１０のいずれか一つに記載のカプセル型内視鏡。
【手続補正２】
【補正対象書類名】明細書
【補正対象項目名】００１３
【補正方法】変更
【補正の内容】
【００１３】
また、本発明に係るカプセル型内視鏡は、上記発明において、前記撮像手段は、前記カプセル本体内で光軸を傾けて配置させた斜視撮像光学系を有することを特徴とする。また、本発明に係るカプセル型内視鏡は、上記発明において、前記斜視撮像光学系は、光軸の斜視角度をαとし、最大画角を２ωとしたとき、α＜２ω／２なる条件を満たすように設定されていることを特徴とする。
【手続補正３】
【補正対象書類名】明細書
【補正対象項目名】００１４
【補正方法】変更
【補正の内容】
【００１４】
また、本発明に係るカプセル型内視鏡は、上記発明において、前記撮像手段は、光軸が前記カプセル本体に沿って設定された撮像光学系の撮像方向前方に撮像視野方向を傾ける反射部材を有することを特徴とする。また、本発明に係るカプセル型内視鏡は、上記発明において、前記撮像手段は、前記反射部材による撮像視野角方向の傾きをαとし、最大画角を２ωとしたとき、α＜２ω／２なる条件を満たすように設定されていることを特徴とする。
【手続補正４】
【補正対象書類名】明細書
【補正対象項目名】００１５
【補正方法】変更
【補正の内容】
【００１５】
また、本発明に係るカプセル型内視鏡は、上記発明において、前記撮像手段は、前記カプセル本体の長手軸の両端に撮像視野が形成されるように配置されていることを特徴とする。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の図柄を施した図柄帯が付された可動表示体と、前記可動表示体を複数備えた図柄変動表示装置とを有し、遊技価値の投入とゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機において、
１回のゲームごとに予め決められた複数の当選役及びハズレ役の中からいずれかを選び出す抽選を行う内部抽選手段と、
複数の前記可動表示体の回転を個々に停止させるべく個々の前記可動表示体について前記停止操作を受け付ける停止操作手段と、
前記内部抽選手段による内部抽選の結果に基づいて複数の前記可動表示体の停止を制御する可動表示体停止制御手段と、
複数の前記可動表示体の回転が停止状態となると、前記可動表示体に付された図柄帯上の図柄を所定個数分の図柄群として前記図柄変動表示装置内の所定箇所に表示可能とする図柄表示部と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
前記内部抽選の結果として選び出される当選役のうち、当該ゲームの次のゲームにかぎり、自身を含んだ少なくとも複数の当選役を前記内部抽選の結果として強制的に選び出す強制当選役決定遊技に移行させる契機となる次ゲーム限定許容役を有し、
前記図柄表示部内に前記次ゲーム限定許容役に対応する図柄の組み合わせ態様が表示されたことが前記当選役図柄表示判定手段により判定されると、当該ゲームの次のゲームにかぎり、前記次ゲーム限定許容役自身を含む少なくとも複数の当選役に対応する図柄の組み合わせ態様のいずれかとなる前記複数の可動表示体の停止を制御する複数当選役対応停止制御手段と、
前記内部抽選の結果として選び出される当選役のうち、所定期間に投入される遊技価値の総数に対して付与される遊技価値の総数の割合が低い通常遊技状態とは異なる特別遊技状態に移行させる契機となる特別当選役を有し、
前記特別当選役を契機として前記通常遊技状態から前記特別遊技状態にて遊技状態を移行させたうえでゲームの進行を制御する特別遊技状態制御手段と
を備えることを特徴とする遊技機。
【請求項２】
前記強制当選役決定遊技では、前記次ゲーム限定許容役を優先的に選択する優先選択手段をさらに備えた
ことを特徴とする請求項１に記載の遊技機。
【請求項３】
前記特別当選役は、さらに前記通常遊技状態に比べて所定期間に投入される遊技価値の総数に対して付与される遊技価値の総数の割合が高い第１特別遊技状態に移行させる契機となる第１特別当選役と、前記通常遊技状態とその遊技状態の類似した第２特別遊技状態へ移行させる契機となる第２特別当選役とからなり、
前記第１特別当選役を契機として前記通常遊技状態から前記第１特別遊技状態にて遊技状態を移行させたうえでゲームの進行を制御する第１特別遊技状態制御手段と、
前記第２特別当選役を契機として前記通常遊技状態から前記第２特別遊技状態にて遊技状態を移行させたうえでゲームの進行を制御する第２特別遊技状態制御手段
をさらに備える
ことを特徴とする請求項１または請求項２に記載の遊技機。
【手続補正２】
【補正対象書類名】明細書
【補正対象項目名】０００８
【補正方法】変更
【補正の内容】
【０００８】
（解決手段１）
解決手段１は、複数の図柄を施した図柄帯が付された可動表示体と、前記可動表示体を複数備えた図柄変動表示装置とを有し、遊技価値の投入とゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機において、１回のゲームごとに予め決められた複数の当選役及びハズレ役の中からいずれかを選び出す抽選を行う内部抽選手段と、複数の前記可動表示体の回転を個々に停止させるべく個々の前記可動表示体について前記停止操作を受け付ける停止操作手段と、前記内部抽選手段による内部抽選の結果に基づいて複数の前記可動表示体の停止を制御する可動表示体停止制御手段と、複数の前記可動表示体の回転が停止状態となると、前記可動表示体に付された図柄帯上の図柄を所定個数分の図柄群として前記図柄変動表示装置内の所定箇所に表示可能とする図柄表示部と、前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、全ての前記可動表示体が停止した場合、前記有効表示位置決定手段により決定された前記有効表示位置に前記当選役に対応する図柄の組み合わせ態様が表示されたか否かを判定する当選役図柄表示判定手段と、前記内部抽選の結果として選び出される当選役のうち、当該ゲームの次のゲームにかぎり、自身を含んだ少なくとも複数の当選役を前記内部抽選の結果として強制的に選び出す強制当選役決定遊技に移行させる契機となる次ゲーム限定許容役を有し、前記図柄表示部内に前記次ゲーム限定許容役に対応する図柄の組み合わせ態様が表示されたことが前記当選役図柄表示判定手段により判定されると、当該ゲームの次のゲームにかぎり、前記次ゲーム限定許容役自身を含む少なくとも複数の当選役に対応する図柄の組み合わせ態様のいずれかとなる前記複数の可動表示体の停止を制御する複数当選役対応停止制御手段と、前記内部抽選の結果として選び出される当選役のうち、所定期間に投入される遊技価値の総数に対して付与される遊技価値の総数の割合が低い通常遊技状態とは異なる特別遊技状態に移行させる契機となる特別当選役を有し、前記特別当選役を契機として前記通常遊技状態から前記特別遊技状態にて遊技状態を移行させたうえでゲームの進行を制御する特別遊技状態制御手段とを備えることを特徴とする遊技機である。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数の図柄を施した図柄帯が付された可動表示体と、前記可動表示体を複数備えた図柄変動表示装置とを有し、遊技価値の投入とゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機において、
１回のゲームごとに予め決められた複数の当選役及びハズレ役の中からいずれかを選び出す抽選を行う内部抽選手段と、
複数の前記可動表示体の回転を個々に停止させるべく個々の前記可動表示体について前記停止操作を受け付ける停止操作手段と、
前記内部抽選手段による内部抽選の結果に基づいて複数の前記可動表示体の停止を制御する可動表示体停止制御手段と、
複数の前記可動表示体の回転が停止状態となると、前記可動表示体に付された図柄帯上の図柄を所定個数分の図柄群として前記図柄変動表示装置内の所定箇所に表示可能とする図柄表示部と、
前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、
全ての前記可動表示体が停止した場合、前記有効表示位置決定手段により決定された前記有効表示位置に前記当選役に対応する図柄の組み合わせ態様が表示されたか否かを判定する当選役図柄表示判定手段と、
所定期間に投入される遊技価値の総数に対して付与される遊技価値の総数の割合が低い通常遊技状態にてゲームの進行を制御する通常遊技状態制御手段と、
前記通常遊技状態に比べて遊技価値の付与機会を増加させる遊技価値付与機会増加手段と、
前記通常遊技状態と同水準の遊技価値の付与機会を維持する遊技価値付与機会維持手段と、
前記付与される遊技価値の総数が所定数に到達するまで前記遊技価値付与機会増加手段により前記通常遊技状態に比べて遊技価値の付与機会を増加させた状態を継続する増加機会継続手段と、
前記付与される遊技価値の総数が、前記所定数に比べて少ない特定数に到達するまで前記遊技価値付与機会維持手段により前記通常遊技状態と同水準の遊技価値の付与機会を維持した状態を継続する同水準機会継続手段と
を備えることを特徴とする遊技機。
【請求項２】
前記増加機会継続手段により前記通常遊技状態に比べて遊技価値の付与機会が増加された特別遊技状態を開始する増加機会開始手段
をさらに備え、
前記増加機会開始手段は、前記通常遊技状態における所定の条件を契機として前記通常遊技状態から前記特別遊技状態に遊技状態を移行させる
ことを特徴とする請求項１に記載の遊技機。
【請求項３】
前記同水準機会継続手段により前記通常遊技状態と同水準の遊技価値の付与機会が維持された維持遊技状態を開始する同水準機会開始手段
をさらに備え、
遊技同水準機会維持手段は、前記通常遊技状態における特定の条件を契機として前記通常遊技状態から前記維持遊技状態に遊技状態を移行させる
ことを特徴とする請求項１または請求項２に記載の遊技機。
【手続補正２】
【補正対象書類名】明細書
【補正対象項目名】０００６
【補正方法】変更
【補正の内容】
【０００６】
（解決手段１）
解決手段１は、複数の図柄を施した図柄帯が付された可動表示体と、前記可動表示体を複数備えた図柄変動表示装置とを有し、遊技価値の投入とゲームの開始操作により複数の前記可動表示体の回転を開始させるとともに内部抽選を実行し、前記可動表示体の停止操作が受け付けられると、前記内部抽選の結果と前記可動表示体の停止操作に基づいて前記図柄変動表示装置に１回のゲームの結果を表示する遊技機において、１回のゲームごとに予め決められた複数の当選役及びハズレ役の中からいずれかを選び出す抽選を行う内部抽選手段と、複数の前記可動表示体の回転を個々に停止させるべく個々の前記可動表示体について前記停止操作を受け付ける停止操作手段と、前記内部抽選手段による内部抽選の結果に基づいて複数の前記可動表示体の停止を制御する可動表示体停止制御手段と、複数の前記可動表示体の回転が停止状態となると、前記可動表示体に付された図柄帯上の図柄を所定個数分の図柄群として前記図柄変動表示装置内の所定箇所に表示可能とする図柄表示部と、前記図柄表示部内に表示された所定個数分の図柄群を複数の前記可動表示体にまたがって見た場合に、各々の前記可動表示体について少なくとも１つの図柄を選び出してできる組み合わせ態様のうち、前記当選役に対応する図柄の組み合わせ態様が表示されたときにその組み合わせ態様を有効とする表示位置を決定する有効表示位置決定手段と、全ての前記可動表示体が停止した場合、前記有効表示位置決定手段により決定された前記有効表示位置に前記当選役に対応する図柄の組み合わせ態様が表示されたか否かを判定する当選役図柄表示判定手段と、所定期間に投入される遊技価値の総数に対して付与される遊技価値の総数の割合が低い通常遊技状態にてゲームの進行を制御する通常遊技状態制御手段と、前記通常遊技状態に比べて遊技価値の付与機会を増加させる遊技価値付与機会増加手段と、前記通常遊技状態と同水準の遊技価値の付与機会を維持する遊技価値付与機会維持手段と、前記付与される遊技価値の総数が所定数に到達するまで前記遊技価値付与機会増加手段により前記通常遊技状態に比べて遊技価値の付与機会を増加させた状態を継続する増加機会継続手段と、前記付与される遊技価値の総数が、前記所定数に比べて少ない特定数に到達するまで前記遊技価値付与機会維持手段により前記通常遊技状態と同水準の遊技価値の付与機会を維持した状態を継続する同水準機会継続手段とを具備したことを特徴とする遊技機である。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技盤の遊技領域に設けられ、前記遊技領域に向けて打ち込まれた遊技球を受け入れ困難な閉状態と当該閉状態よりも遊技球を受け入れ容易な開状態との間で開閉動作可能な開閉装置と、
前記遊技領域に設けられる第１の始動口と、
前記遊技領域に設けられ、可動部材を有し、該可動部材が動作するときにのみ遊技球の入球が可能とされる第２の始動口と、
前記第１の始動口への遊技球の入球があったか否かの判断を行う第１の始動判断手段と、
前記第１の始動判断手段により前記第１の始動口への遊技球の入球があった旨判断されることに基づいて前記可動部材の動作契機となる第１の当たりについての当落にかかる抽選処理を行う第１の抽選手段と、
前記第１の抽選手段による前記抽選処理にて前記第１の当たりが当選されたとき、前記第２の始動口への遊技球の入球が所定時間だけ可能となるように前記可動部材の駆動制御を行う駆動制御手段と、
前記第１の当たりの当選に応じた前記駆動制御手段による駆動制御によって入球可能とされた前記第２の始動口に遊技球の入球があったか否かの判断を行う第２の始動判断手段と、
前記第２の始動判断手段により前記第２の始動口への遊技球の入球があった旨判断されることに基づいて役物当たり及び大当たりのいずれかが必ず当選される抽選処理を行う第２の抽選手段と、
前記第２の抽選手段による前記抽選処理にて前記役物当たりが当選されることに基づいて前記開閉装置が開閉動作される役物当たり遊技を行う役物遊技実行手段と、
前記開閉動作された前記開閉装置に遊技球が入球されたとき、特別領域及びハズレ領域を含む複数の受入領域のうちの前記特別領域に該入球された遊技球が振り分けられるか否かについての振分け抽選を行う機械抽選装置と、
前記開閉装置に入球された遊技球が前記複数の受入領域のうちの前記特別領域に振分け抽選されること、及び前記第２の抽選手段による前記抽選処理にて前記大当たりが当選されること、のいずれかの条件が満たされることに応じて、前記役物当たり遊技よりも遊技者に有利な大当たり遊技を行う第２の特別遊技実行手段と、を備える遊技機であって、
前記開閉動作された前記開閉装置に遊技球が入球されたとき、該入球された遊技球を当該開閉装置内の前記機械抽選装置へと通じる通常経路上にて停留させる一時保持装置と、
前記一時保持装置により遊技球が停留される停留時間として各々異なる時間を示す複数の停留時間情報のうちの１つを決定する時間決定手段と、
前記時間決定手段により決定された停留時間情報によって示される停留時間が経過したことに応じて、前記一時保持装置による遊技球の停留を解除する停留解除手段と、を備える
ことを特徴とする遊技機。
【請求項２】
前記第１の抽選手段は、前記第１の始動判断手段により前記第１の始動口への遊技球の入球があった旨判断されることに基づいて乱数を取得し、該取得した乱数に基づいて前記第１の当たりについての当落にかかる抽選処理を行うものである
請求項１に記載の遊技機。
【請求項３】
前記第２の抽選手段は、前記第２の始動判断手段により前記第２の始動口への遊技球の入球があった旨判断されることに基づいて乱数を取得し、該取得した乱数に基づいて前記役物当たり及び大当たりのいずれかが必ず当選される抽選処理を行うものである
請求項１または２に記載の遊技機。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
打ち込まれた遊技球が流下可能な遊技領域を有する遊技盤と、
所定の演出画像が表示される演出画像表示装置と、
前記遊技領域に設けられ、遊技球を受け入れ可能な受入口と、
前記遊技領域に設けられ、遊技球の受け入れが不可能な閉鎖態様と遊技球の受け入れが可能な開放態様との間で変位可能な開閉装置と、
機械的な抽選処理を行う機械的抽選装置と、
前記開閉装置から受け入れた遊技球を前記機械的抽選装置に案内し得る案内装置と、
前記機械的な抽選処理に当選したことに応じて遊技者に有利な特別遊技を行う特別遊技実行手段を少なくとも有する遊技制御手段と、
を備え、
前記遊技制御手段は、
前記演出画像表示装置にて表示される演出画像として、特定の画像が表示されるまでの時間がそれぞれ異なる複数の演出画像を少なくとも記憶する演出画像記憶手段、
前記受入口への遊技球の受け入れを検出する受入口検出手段、
前記受入口検出手段による前記受入口への遊技球の受入検出に基づいて内部的な抽選処理を行う内部抽選手段、
前記演出画像表示装置にて表示される演出画像を、前記受入口検出手段による前記受入口への遊技球の受入検出に基づいて行われる前記内部的な抽選処理に当選したことに応じて、前記演出画像記憶手段に記憶される前記複数の演出画像のなかから任意の演出画像に偏ることなくいずれかに選択決定する演出画像選択決定手段、
少なくとも前記演出画像選択決定手段により選択決定された演出画像が前記演出画像表示装置にて表示されるように表示制御する演出画像表示制御手段、
前記受入口検出手段による前記受入口への遊技球の受入検出に基づいて行われる前記内部的な抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、並びに
前記開閉装置から受け入れた遊技球が特定のタイミングで前記機械的抽選装置に案内されるように、前記案内装置の作動を制御する案内制御手段、
を有する遊技機であって、
前記案内装置は、前記開閉装置から受け入れた遊技球のうち１球のみを、前記特定のタイミングとしての前記開閉装置が前記開放態様に変位してから一定時間経過後に前記機械的抽選装置に案内すると共に、
前記１球の遊技球は、前記複数の演出画像のうち、前記受入口検出手段による前記受入口への遊技球の受入検出に基づきいずれか一の演出画像に選択決定された場合にのみ、前記機械的な抽選処理にて当選となるように前記機械的抽選装置に案内され得る
ことを特徴とする遊技機。
【請求項２】
前記開閉制御手段は、前記内部的な抽選処理に当選したことに応じて、常には前記閉鎖態様に維持される前記開閉装置を、前記演出画像に含まれる特定の画像が表示されたのちに前記開放態様となるように変位させるものであって、
前記機械的抽選装置は、一定の時間毎におとずれる当選タイミングで遊技球が案内されたときに当選となるように前記機械的な抽選処理を行うものであり、
前記複数の演出画像は、それぞれ、前記特定の画像が前記演出画像表示装置に表示されるまでの時間が所定時間ずつ異なる
ことを特徴とする請求項１に記載の遊技機。
【請求項３】
前記１球の遊技球が前記当選タイミングとしての前記案内制御手段により遊技球が案内されたときに当選となる特定時間内に前記機械的抽選装置に案内され得る演出画像を当選演出画像としたとき、
前記一定の時間が前記複数の演出画像の数と前記所定時間とを乗じた値に相当すると共に、前記特定時間が前記所定時間とほぼ同じであることによって、前記受入口への遊技球の受け入れタイミングに拘らず、前記複数の演出画像に対する前記当選演出画像の比率と、前記一定の時間に対する前記特定時間の比率と、がほぼ同じになることを特徴とする遊技機である
ことを特徴とする請求項２に記載の遊技機。
【手続補正２】
【補正対象書類名】明細書
【補正対象項目名】０００７
【補正方法】変更
【補正の内容】
【０００７】
前記課題を解決するための本発明に係る遊技機は、打ち込まれた遊技球が流下可能な遊技領域を有する遊技盤と、所定の演出画像が表示される演出画像表示装置と、前記遊技領域に設けられ、遊技球を受け入れ可能な受入口と、前記遊技領域に設けられ、遊技球の受け入れが不可能な閉鎖態様と遊技球の受け入れが可能な開放態様との間で変位可能な開閉装置と、機械的な抽選処理を行う機械的抽選装置と、前記開閉装置から受け入れた遊技球を前記機械的抽選装置に案内し得る案内装置と、前記機械的な抽選処理に当選したことに応じて遊技者に有利な特別遊技を行う特別遊技実行手段を少なくとも有する遊技制御手段と、を備え、前記遊技制御手段は、前記演出画像表示装置にて表示される演出画像として、特定の画像が表示されるまでの時間がそれぞれ異なる複数の演出画像を少なくとも記憶する演出画像記憶手段、前記受入口への遊技球の受け入れを検出する受入口検出手段、前記受入口検出手段による前記受入口への遊技球の受入検出に基づいて内部的な抽選処理を行う内部抽選手段、前記演出画像表示装置にて表示される演出画像を、前記受入口検出手段による前記受入口への遊技球の受入検出に基づいて行われる前記内部的な抽選処理に当選したことに応じて、前記演出画像記憶手段に記憶される前記複数の演出画像のなかから任意の演出画像に偏ることなくいずれかに選択決定する演出画像選択決定手段、少なくとも前記演出画像選択決定手段により選択決定された演出画像が前記演出画像表示装置にて表示されるように表示制御する演出画像表示制御手段、前記受入口検出手段による前記受入口への遊技球の受入検出に基づいて行われる前記内部的な抽選処理に当選したことに応じて、常には前記閉鎖態様に維持される前記開閉装置を、前記演出画像が表示されたのちに前記開放態様となるように変位させると共に、当該開放態様から再び前記閉鎖態様に変位させる開閉制御手段、並びに、前記開閉装置から受け入れた遊技球が特定のタイミングで前記機械的抽選装置に案内されるように、前記案内装置の作動を制御する案内制御手段、を有する遊技機であって、前記案内装置は、前記開閉装置から受け入れた遊技球のうち１球のみを、前記特定のタイミングとしての前記開閉装置が前記開放態様に変位してから一定時間経過後に前記機械的抽選装置に案内すると共に、前記１球の遊技球は、前記複数の演出画像のうち、前記受入口検出手段による前記受入口への遊技球の受入検出に基づきいずれか一の演出画像に選択決定された場合にのみ、前記機械的な抽選処理にて当選となるように前記機械的抽選装置に案内され得ることを特徴とする遊技機である。